(57)【要約】【課題】二重化されていない既存のＰＯＮ区間を比較的容易に二重化対応とするＰＯＮ二重化システムを提供する。【解決手段】ＰＯＮ二重化システムは、少なくとも二つのＯＮＴ６，７と、ＯＬＴ１と、上記少なくとも二つのＯＮＴ６，７の一方と、上記少なくとも二つのＯＮＴの他方とのいずれかを、所定のプロトコル（ＬＡまたはＳＴＰ）を用いて選択する加入者側Ｌ２スイッチ９と、上記少なくとも二つのＯＮＴの一方を経由する経路１と、上記少なくとも二つのＯＮＴの他方を経由する経路２とのいずれかを、上記所定のプロトコルを用いて上記ＯＬＴ１が使用する経路として選択する上位側Ｌ２スイッチ８とを備え、上記ＯＬＴ１は、上記上位側Ｌ２スイッチ８が選択した経路を用いて通信を行なう。【選択図】        図１
2004179723.tif 000002
【特許請求の範囲】
【請求項１】
少なくとも二つの加入者収容装置（Ｏｐｔｉｃａｌ  Ｎｅｔｗｏｒｋ  Ｔｅｒｍｉｎａｌ，以下「ＯＮＴ」と記す）と、
局回線終端装置（Ｏｐｔｉｃａｌ  Ｌｉｎｅ  Ｔｅｒｍｉｎａｌ，以下、「ＯＬＴ」と記す）と、
上記少なくとも二つのＯＮＴの一方と、上記少なくとも二つのＯＮＴの他方とのいずれかを、所定のプロトコルを用いて選択するＯＮＴ用スイッチ部と、
上記少なくとも二つのＯＮＴの一方を経由する経路１と、上記少なくとも二つのＯＮＴの他方を経由する経路２とのいずれかを、上記所定のプロトコルを用いて上記ＯＬＴが使用する経路として選択するＯＬＴ用スイッチ部と
を備えることを特徴とするＰＯＮ（Ｐａｓｓｉｖｅ  Ｏｐｔｉｃａｌ  Ｎｅｔｗｏｒｋ）二重化システム。
【請求項２】
経路１と経路２とを用いて、加入者収容装置（以下「ＯＮＴ」と記す）と局回線終端装置（以下、「ＯＬＴ」と記す）との間の経路を二重化するＰＯＮ（Ｐａｓｓｉｖｅ  Ｏｐｔｉｃａｌ  Ｎｅｔｗｏｒｋ）二重化システムにおいて、
上記ＯＮＴは、
上記経路１を中継する第１のＯＮＴインターフェースと、
上記経路２を中継する第２のＯＮＴインターフェースと、
上記第１のＯＬＴインターフェースと上記第２のＯＮＴインターフェースとのいずれかを、所定のプロトコルを用いて選択するＯＮＴ用スイッチ部と
を備え、
上記ＯＬＴは、
上記経路１と上記経路２とを中継する少なくとも一つのＯＬＴインターフェースと、
上記ＯＬＴインターフェースが中継する上記経路１と上記経路２とのいずれか一方を、上記所定のプロトコルを用いて選択するＯＬＴ用スイッチ部と
を備えることを特徴とするＰＯＮ二重化システム。
【請求項３】
上記ＯＬＴ用スイッチ部と上記ＯＮＴ用スイッチ部とは、媒体アクセス制御層に付与されたアドレス（ＭＡＣアドレス）に基づいて上記経路１と上記経路２とのいずれかを選択するスイッチであり、
上記所定のプロトコルは、リンクアグリケーションとスパニングツリープロトコルとのいずれかであることを特徴とする請求項１記載のＰＯＮ二重化システム。
【請求項４】
上記ＯＬＴ用スイッチ部は、上記ＯＬＴと接続する少なくとも一つの物理ポートを備え、上記少なくとも一つの物理ポートを介して、上記経路１と上記経路２とを含む複数の経路を論理的に中継し、上記複数の経路から一つの経路を選択することを特徴とする請求項１に記載のＰＯＮ二重化システム。
【請求項５】
少なくとも二つの加入者収容装置（Ｏｐｔｉｃａｌ  Ｎｅｔｗｏｒｋ  Ｔｅｒｍｉｎａｌ，以下「ＯＮＴ」と記す）と、局回線終端装置（Ｏｐｔｉｃａｌ  Ｌｉｎｅ  Ｔｅｒｍｉｎａｌ，以下、「ＯＬＴ」と記す）とを備えるＰＯＮ（Ｐａｓｓｉｖｅ  Ｏｐｔｉｃａｌ  Ｎｅｔｗｏｒｋ）二重化方法において、
上記少なくとも二つのＯＮＴの一方と、上記少なくとも二つのＯＮＴの他方とのいずれかを、所定のプロトコルを用いて選択するＯＮＴ側経路選択工程と、
上記少なくとも二つのＯＮＴの一方を経由する経路１と、上記少なくとも二つのＯＮＴの他方を経由する経路２とのいずれかを、上記所定のプロトコルを用いて上記ＯＬＴが使用する経路として選択するＯＬＴ側経路選択工程と
を備えることを特徴とするＰＯＮ二重化方法。
【発明の詳細な説明】
【０００１】
【発明の属する技術分野】
この発明は、ＰＯＮシステムにおいて加入者側への物理的経路の二重化を提供する通信装置に関するものである。
【０００２】
【従来の技術】
図９は、ＩＴＵ−Ｔ  Ｇ．９８３．５にて規定された、Ｔｙｐｅ  Ｃ  Ｘ：Ｎプロテクションシステムを示す。
１はＯＬＴ（Ｏｐｔｉｃａｌ  Ｌｉｎｅ  Ｔｅｒｍｉｎａｌ、局回線終端装置、上位側光網終端装置）、２はＯＬＴに実装されたＰＯＮ（Ｐａｓｓｉｖｅ  Ｏｐｔｉｃａｌ  Ｎｅｔｗｏｒｋ）インターフェース、３はＭ：１スプリッタ、４はＯＮＴ（Ｏｐｔｉｃａｌ  Ｎｅｔｗｏｒｋ  Ｔｅｒｍｉｎａｌ、加入者装置、加入者側光網終端装置）であり、例えば、ＯＮＴ４は、ＰＯＮ  ＬＴ（Ｐａｓｓｉｖｅ  Ｏｐｔｉｃａｌ  Ｎｅｔｗｏｒｋ  Ｌｉｎｅ  Ｔｅｒｍｉｎａｌ）（１）−１とＰＯＮ  ＬＴ（０）−１のＰＯＮインターフェースの二重化と、ＯＤＮの二重化の両方を達成している。
【０００３】
従来装置の動作について説明する。
いま、ＯＬＴ１のＰＯＮ  ＬＴ（１）−１インターフェースが故障状態になっているとする。このとき、ＯＬＴ１に備えられた装置監視機能により、上記の故障を検出する。例えば、ＯＮＴ−１，１の場合は、通信経路をＯＬＴ１のＰＯＮＬＴ（０）−１側に切り替えて、ＯＮＴ−１，１のＰＯＮ  ＬＴ（１）と正常な通信を継続する。
また、ＰＯＮ  ＬＴ（１）−１に接続されたＯＤＮ（Ｏｐｔｉｃａｌ  Ｄｉｓｔｒｉｂｕｔｉｏｎ  Ｎｅｔｗｏｒｋ）にてファイバー切断などの障害が発生した場合、ＰＯＮ  ＬＴ（１）−１がこの障害を検出して、装置監視機能にこれを通知し、通信経路をＰＯＮ  ＬＴ（０）−１側に切り替えて、正常な通信を継続する。
【０００４】
【特許文献１】
特開２００２−５７６７９号公報
【０００５】
【発明が解決しようとする課題】
上記のような二重化システムを構成する場合、二重化を実施していないシステムに対して、二重化をサポートしたＯＮＴ  Ｈ／Ｗ（ＯＮＴハードウェア）の開発、二重化切替プロトコルの開発、二重化切替・二重化部監視Ｓ／Ｗ（ソフトウェア）の開発、など多くの新規開発項目が必要であり、また、装置が複雑化するためコストの上昇をまねくことになる。
【０００６】
そこで、この発明は、既存の技術を適用することにより、比較的簡便にＰＯＮ区間の二重化機能を実現することを目的としている。
【０００７】
【課題を解決するための手段】
この発明に係るＰＯＮ（Ｐａｓｓｉｖｅ  Ｏｐｔｉｃａｌ  Ｎｅｔｗｏｒｋ）二重化システムは、少なくとも二つの加入者収容装置（Ｏｐｔｉｃａｌ  Ｎｅｔｗｏｒｋ  Ｔｅｒｍｉｎａｌ，以下「ＯＮＴ」と記す）と、
局回線終端装置（Ｏｐｔｉｃａｌ  Ｌｉｎｅ  Ｔｅｒｍｉｎａｌ，以下、「ＯＬＴ」と記す）と、
上記少なくとも二つのＯＮＴの一方と、上記少なくとも二つのＯＮＴの他方とのいずれかを、所定のプロトコルを用いて選択するＯＮＴ用スイッチ部と、
上記少なくとも二つのＯＮＴの一方を経由する経路１と、上記少なくとも二つのＯＮＴの他方を経由する経路２とのいずれかを、上記所定のプロトコルを用いて上記ＯＬＴが使用する経路として選択するＯＬＴ用スイッチ部と
を備えることを特徴とする。
【０００８】
【発明の実施の形態】
ＰＯＮ区間の二重化を実現するために、Ｌ２スイッチ（レイヤー２スイッチ）の既存機能であるプロトコルとしてＬＡ（リンクアグリケーション）、または、ＳＴＰ（スパニングツリープロトコル）を用いる。Ｌ２スイッチは、ＭＡＣアドレスをもとに経路を選択するスイッチである。ＭＡＣアドレスは、媒体アクセス制御層に付与されたアドレスである。加入者側とＰＯＮ区間の上位側とにＬ２スイッチを設置する。加入者側と上位側との両Ｌ２スイッチ間で２つのリンクを設定し、Ｌ２スイッチは、ＬＡまたは、ＳＴＰを有効にする（機能させる）。もっともシンプルな場合は、既存のＰＯＮシステムにまったく手を加えることなく、ＰＯＮ区間二重化を実現することが可能となる。
【０００９】
この発明において、ＳＴＰ機能を有効とした場合、この機能による経路の自動選択により、経路の二重化と、自動的な経路の選択が可能となる。
また、ＬＡを有効とした場合は、上記の二重化機能に加えて、エクストラトラヒックの収容が可能となり、障害が発生していない定常時には使用可能帯域の拡大をはかることが可能となる。
【００１０】
実施の形態１．
図１は、この発明の１実施の形態を示す構成図であり、図１において、１はＯＬＴ、２はＰＯＮインターフェース、３，４は上位側Ｌ２スイッチ８とのインターフェース、５はスプリッタを含むＯＤＮ、６，７は加入者宅に設置するＯＮＴ、８は上位側Ｌ２スイッチ、９は加入者側Ｌ２スイッチ、８−１，８−２，９−１，９−２はそれぞれ上位側、加入者側Ｌ２スイッチのスイッチポートを示す。ＯＤＮ５は、ＯＬＴ１のコネクタからＯＮＴ６（または、ＯＮＴ７）のコネクタまでの間をさす。具体的には、スプリッタと光ファイバーがＯＤＮ５に相当する。
ここで、ＯＮＴ６、ＯＮＴ７は、同一加入者宅に設置される。また、ＯＮＴ６と上位側Ｌ２スイッチインターフェース３、ＯＮＴ７と上位側Ｌ２スイッチインターフェース４の間にそれぞれパスが設定される。これらの２つのパスで、二重化された経路を構成する。
また、図１中に、ＰＯＮ区間を示している。この明細書内の以降の説明において、ＰＯＮ区間は、ＯＮＴとＰＯＮインターフェースとの間をいう。
【００１１】
この発明の動作について説明する。まず、Ｌ２スイッチのプロトコルとしてＳＴＰを用いる場合を説明する。
図１において、２台の上位側Ｌ２スイッチ８及び加入者側Ｌ２スイッチ９間でＳＴＰを有効にすると、予め設定したパスコストなどのパラメータに従い自動的に経路選択が実施される。また、プライマリ側として動作するパスが障害などにより不通となった場合は、自動的にセカンダリ側のパスに切り替わり通信を継続することが可能である。このとき、ＯＬＴ１、ＯＮＴ６、ＯＮＴ７のＰＯＮシステムにおいては、ＰＯＮ区間の二重化をサポートするための変更は一切不要である。
加入者側及び上位側へそれぞれＬ２スイッチを設置することによって、実現することができる。
【００１２】
上記のように、この実施の形態では、少なくとも二つの加入者収容装置（Ｏｐｔｉｃａｌ  Ｎｅｔｗｏｒｋ  Ｔｅｒｍｉｎａｌ，以下「ＯＮＴ」と記す）６，７と、局回線終端装置（Ｏｐｔｉｃａｌ  Ｌｉｎｅ  Ｔｅｒｍｉｎａｌ，以下、「ＯＬＴ」と記す）１と、上記少なくとも二つのＯＮＴ６，７の一方と、上記少なくとも二つのＯＮＴ６，７の他方とのいずれかを、所定のプロトコルを用いて選択するＯＮＴ用スイッチ部（加入者側Ｌ２スイッチ９は、一例）と、上記少なくとも二つのＯＮＴの一方を経由する経路１と、上記少なくとも二つのＯＮＴの他方を経由する経路２とのいずれかを、上記所定のプロトコル（ＯＮＴ用スイッチが用いるプロトコルと同じプトロコル）を用いて、上記ＯＬＴ１が使用する経路として選択するＯＬＴ用スイッチ部（上位側Ｌ２スイッチ８は、一例）とを備えることを特徴とするＰＯＮ二重化システム（有線通信装置）について説明した。
【００１３】
また、上記ＯＬＴ用スイッチ部と上記ＯＮＴ用スイッチ部とは、媒体アクセス制御層に付与されたアドレス（ＭＡＣアドレス）に基づいて上記経路１と上記経路２とのいずれかを選択するスイッチ（Ｌ２スイッチは、一例）であり、上記所定のプロトコルは、リンクアグリケーション（ＬＡ）とスパニングツリープロトコル（ＳＴＰ）とのいずれかであることについて説明した。
【００１４】
このように、ＯＬＴ用スイッチ部とＯＮＴ用スイッチ部との二つのスイッチ部を用いることによって、二重化されていない既存のＰＯＮ区間を比較的容易に二重化対応とすることができる。また、二重化するコストを安価にすることができる。
また、上記ＰＯＮ二重化は、上記二つのスイッチ部が所定のプロトコルを用いることによって、上記二つのスイッチ部それぞれが、結果として複数の経路（少なくとも二つ）から一つの同じ経路を選択することが可能になる。
【００１５】
以上のように、ＰＯＮ区間において、既存プロトコルであるリンクアグリゲーション（ＬＡ）、または、スパニングツリープロトコル（ＳＴＰ）とのいずれかを用いることによって、経路の２重化を達成することを特徴とするＰＯＮ二重化を実現した有線通信装置について説明した。
【００１６】
実施の形態２．
実施の形態１では、ＯＮＴ６、ＯＮＴ７は、同一のＰＯＮインターフェース２に収容されているが、図２の２−１，２−２の様に異なったＰＯＮインターフェースに収容されていても同様の動作を実現できる。
【００１７】
図１の構成に比べ、図２の構成は、より信頼性（安全性）を高めることができる。ＯＮＴ６及びＯＮＴ７とＯＬＴ１との間の経路が全て二重化されているからである。
【００１８】
実施の形態３．
実施の形態１及び実施の形態２のの構成において、ＳＴＰの代わりにＬＡを有効にした場合も同様に経路の二重化を実現できる。この場合は、ＬＡの機能により経路の二重化だけでなく、エクストラトラヒックの収容が可能となる。
【００１９】
実施の形態４．
図３は、実施の形態１の構成に対して上位側Ｌ２スイッチとの接続を１つのインターフェースで実現し、上位側Ｌ２スイッチのポート消費を１つにしたものである。この構成でＰＯＮシステムがＡＴＭ−ＰＯＮである場合、経路１，２の識別はＶＰ／ＶＣ（ＶＰ：Ｖｉｒｔｕａｌ  Ｐａｓｓ、ＶＣ：Ｖｉｒｔｕａｌ  Ｃｈａｎｎｅｌ）で実施し、ＶＰＩ／ＶＣＩ（ＶＰＩ：Ｖｉｒｔｕａｌ  ＰａｔｈＩｄｅｎｔｉｆｉｅｒ、ＶＣＩ：Ｖｅｒｔｕａｌ  Ｃｈａｎｎｅｌ  Ｉｄｅｎｔｉｆｉｅｒ）付きのＳＴＰ、ＬＡをＰＯＮシステムに実装する。
具体的には、経路１，２の識別は、ＶＰまたはＶＰ及びＶＣとのいずれかで行う。ＶＰコネクションではＶＰＩを用い、ＶＣコネクションではＶＰＩとＶＣＩとを用いる。
【００２０】
上記のように、この実施の形態では、上記ＯＬＴ用スイッチ部（上位側Ｌ２スイッチ８は、一例）は、上記ＯＬＴ１と接続する少なくとも一つの物理ポート（上位側Ｌ２スイッチのスイッチポート８−１，８−２）を備え、上記少なくとも一つの物理ポートを介して、上記経路１と上記経路２とを含む複数の経路を論理的に中継し、上記複数の経路から一つの経路を選択することを特徴とする。
【００２１】
このように、上位側Ｌ２スイッチ（ＯＬＴ用スイッチ部の一例）において、一つの物理ポートを用いて、論理的に複数の経路（経路１及び経路２とを含む）を中継することが可能になる。従って、上位側Ｌ２スイッチ８とのインターフェースが一つであるＯＬＴを用いているシステムにおいてもこの発明によるＰＯＮ区間の二重化を実現することができる。
【００２２】
以上のように、ＬＡまたは、ＳＴＰを動作させるＬ２スイッチのうち、上位側にて、消費する物理ポートを１ポートとする目的で、論理的にこのポートをマルチポートとなるようにしたことを特徴とするＰＯＮ二重化について説明した。
【００２３】
実施の形態５．
実施の形態４において、ＰＯＮシステムがＧＥ−ＰＯＮ（Ｇｉｇａｂｉｔ  Ｅｔｈｅｒｎｅｔ（登録商標）  ＰＯＮ）である場合、経路１，２の識別はロジカルリンクＩＤ（以下、ＬＬ−ＩＤ）で実施し、ＬＬ−ＩＤ付きのＳＴＰ、ＬＡをＰＯＮシステムに実装する。
なお、ＬＬ−ＩＤは、ＧＥ−ＰＯＮで使用する論理的なＯＮＴ  ＩＤである。１台のＯＮＴに複数のＬＬ−ＩＤを設定することができ、論理的に多くのＯＮＴがあるように見える。
【００２４】
実施の形態６．
実施の形態４において、ＰＯＮシステムがＥ−ＰＯＮ（Ｅｔｈｅｒｎｅｔ（登録商標）  ＰＯＮ）である場合、経路１，２の識別はＯＮＴ番号で実施し、ＯＮＴ番号付きのＳＴＰ、ＬＡをＰＯＮシステムに実装する。
【００２５】
実施の形態７．
実施の形態６のＥ−ＰＯＮシステムにおいて、経路１，２の識別をプロテクション用の個別ＩＤを設定し、これを用いて実施し、この個別ＩＤ付きのＳＴＰ、ＬＡをＰＯＮシステムに実装する。
【００２６】
実施の形態８．
実施の形態６のＥ−ＰＯＮシステムにおいて、経路１，２の識別をＶＬＡＮ  Ｔａｇ（Ｖｉｒｔｕａｌ  Ｌｏｃａｌ  Ａｒｅａ  Ｎｅｔｗｏｒｋ  Ｔａｇ）を用いて実施し、ＶＬＡＮ  Ｔａｇ付きのＳＴＰ、ＬＡをＰＯＮシステムに実装する。
【００２７】
実施の形態９．
実施の形態４から８のＰＯＮシステムにおいて、ＯＮＴ６，７を図４のように異なったＰＯＮインターフェースに収容しても同様の機能を実現できる。
【００２８】
実施の形態１０．
図５は、ＯＬＴ、ＯＮＴ内に仮想Ｌ２スイッチを設けて、これらの間でＳＴＰ、ＬＡ機能を動作させることにＰＯＮ区間の二重化を実施した例である。
【００２９】
上記のように、この実施の形態では、経路１と経路２とを用いて、加入者収容装置（以下、「ＯＮＴ」と記す、仮想Ｌ２スイッチ内蔵ＯＮＴ２０は、一例）と局回線終端装置（以下、「ＯＬＴ」と記す）１との間の経路を二重化するＰＯＮ二重化システムにおいて、上記ＯＮＴは、上記経路１を中継する第１のＯＮＴインターフェース（ＯＮＴ内ＰＯＮインターフェース２１）と、上記経路２を中継する第２のＯＮＴインターフェース（ＯＮＴ内ＰＯＮインターフェース２２）と、上記第１のＯＬＴインターフェースと上記第２のＯＮＴインターフェースとのいずれかを、所定のプロトコルを用いて選択するＯＮＴ用スイッチ部（仮想Ｌ２スイッチ２４）とを備え、上記ＯＬＴ１は、上記経路１と上記経路２とを中継する少なくとも一つのＯＬＴインターフェース（図５ではＰＯＮインターフェース２に相当する）と、上記ＯＬＴインターフェースが中継する上記経路１と上記経路２とのいずれか一方を、上記所定のプロトコルを用いて選択するＯＬＴ用スイッチ部（仮想Ｌ２スイッチ２３）とを備えることを特徴とするＰＯＮ二重化システムについて説明した。
【００３０】
このように、ＯＬＴ用スイッチ部及びＯＮＴスイッチ部とのそれぞれの機能を、ＯＬＴ、ＯＮＴそれぞれの内部に設置（仮想Ｌ２スイッチを設置）することによって、Ｌ２スイッチ部を設置する装置コストを削減することができる。
【００３１】
以上のように、ＬＡまたは、ＳＴＰを動作させるＬ２スイッチを上位側、加入者側においてそれぞれＯＬＴ、ＯＮＴ内にソフトウェアで実現する仮想Ｌ２スイッチとして、装置価格を抑制することと、将来の機能追加を容易にすることを特徴とするＰＯＮ二重化を実現する有線通信装置について説明した。
【００３２】
実施の形態１１．
実施の形態１０のＰＯＮシステムにおいて、ＯＮＴ６，７を図６のように異なったＰＯＮインターフェースに収容しても同様の機能を実現できる。
【００３３】
実施の形態１２．
上記実施の形態では、Ｌ２スイッチのプロトコルとして、ＬＡとＳＴＰとを用いる場合を説明した。しかしながら、他のプロトコルを用いる場合であっても構わない。プロトコルは、所定の基準（パスコストなどのパラメータ）に基づいて、複数の経路から１つの経路を選択するプロトコルであればよい。
【００３４】
実施の形態１３．
図７、図８は、加入者側に３つのＯＮＴがある場合の例を示している。
図７は、図１の二重化ＰＯＮシステムにおいて、ＯＮＴが３つある場合の構成例を示した図である。
図８は、図２の二重化ＰＯＮシステムにおいて、ＯＮＴが３つある場合の構成例を示した図である。
【００３５】
図７の例では、新たに追加したＯＮＴ１２をスプリッタ５へ接続させている。この二重化システムでは、経路１０、経路１１、経路１４の３つの経路が設定されている。
加入者側Ｌ２スイッチ９は、加入者側スイッチのスイッチポート９−３を追加し、３つのＯＮＴのうちのいずれかを選択するようにした。ＯＬＴは、上位側Ｌ２スイッチインターフェース１３を追加し、経路３を中継する。また、上位側Ｌ２スイッチ８は、物理ポートである上位側Ｌ２スイッチのスイッチポート８−３を追加し、上位側Ｌ２スイッチインターフェース１３と接続する。このようにして、３つの経路の内のいずれかの経路を選択させるようにした。
このように、加入者側にＯＮＴが追加された場合は、上記のようにして、経路の選択を可能にする。
【００３６】
図８の例では、ＯＮＴ１２を追加し、ＯＬＴ１のＰＯＮインターフェース２−３へ接続する例を示している。
加入者側Ｌ２スイッチ９は、加入者側Ｌ２スイッチのスイッチポート９−３を追加し、３つのＯＮＴのうちのいずれかを選択するようにした。ＯＬＴは、上位側Ｌ２スイッチインターフェース１３と、ＰＯＮインターフェース２−３とを追加し、経路３を中継する。また、上位側Ｌ２スイッチ８は、物理ポートである上位側Ｌ２スイッチのスイッチポート８−３を追加し、上位側スイッチインターフェース１３と接続する。このようにして、３つの経路の内のいずれかの経路を選択させるようにした。
このように、加入者側にＯＮＴが追加された場合は、上記のようにして、経路の選択を可能にする。
【００３７】
また、上記図７，図８では、物理ポートが上位側Ｌ２スイッチインターフェースの数と一致する場合を示しているが、図３，図４に示すように、一つの物理ポートで、論理的に３つの経路を中継することは可能である。
【００３８】
さらに、図７，図８では、加入者側は、一つの例を示しているが、加入者側が複数であっても、同様に二重化システムを構成することは可能である。
【００３９】
実施の形態１４．
また、上記の実施の形態では、具体的な構成を用いて説明したが、上記二重化システムは、実施の形態１０，１１に示したように、仮想Ｌ２スイッチを用いて実現することも可能である。従って、下記の手順（方法）を実施するハードウェア構成、あるいは、ソフトウェア、あるいは、ソフトウェアとハードウェアとの両方等によって実現してもよい。
【００４０】
具体的には、少なくとも二つのＯＮＴと、ＯＬＴとを備えるＰＯＮ二重化手順（方法）であり、上記少なくとも二つのＯＮＴの一方と、上記少なくとも二つのＯＮＴの他方とのいずれかを、所定のプロトコルを用いて選択するＯＮＴ側経路選択工程と、上記少なくとも二つのＯＮＴの一方を経由する経路１と、上記少なくとも二つのＯＮＴの他方を経由する経路２とのいずれかを、上記所定のプロトコルを用いて選択し、上記ＯＬＴが使用する経路として上記ＯＬＴへ通知するＯＬＴ側経路選択工程とを備えることによってＰＯＮ二重化を実現する。
【００４１】
【発明の効果】
この発明により、既存プロトコルを利用してＰＯＮ区間二重化未対応の装置を比較的容易に二重化対応とすることが可能である。また、ＯＬＴ、ＯＮＴ内に仮想Ｌ２スイッチを設けることにより、装置コストを抑制することが可能となる。
【図面の簡単な説明】
【図１】実施の形態１，３による二重化ＰＯＮシステムを示す図。
【図２】実施の形態２による二重化ＰＯＮシステムを示す図。
【図３】実施の形態４、５，６，７，８による二重化ＰＯＮシステムを示す図。
【図４】実施の形態９による二重化ＰＯＮシステムを示す図。
【図５】実施の形態１０による二重化ＰＯＮシステムを示す図。
【図６】実施の形態１１による二重化ＰＯＮシステムを示す図。
【図７】図１の二重化ＰＯＮシステムにおいて、ＯＮＴが３つある場合の構成例を示した図。
【図８】図２の二重化ＰＯＮシステムにおいて、ＯＮＴが３つある場合の構成例を示した図。
【図９】従来例である、ＩＴＵ−Ｔ  Ｇ．９８３．５  にて規定された二重化ＰＯＮシステムの構成図。
【符号の説明】
１  ＯＬＴ、２  ＰＯＮインターフェース、２−１  ＰＯＮインターフェース、２−２，２−３  ＰＯＮインターフェース、３，４，１３  上位側Ｌ２スイッチインターフェース、５  スプリッタ、６，７，１２  ＯＮＴ、８  上位側Ｌ２スイッチ、８−１，８−２，８−３  上位側Ｌ２スイッチのスイッチポート、９加入者側Ｌ２スイッチ、９−１，９−２，９−３  加入者側Ｌ２スイッチのスイッチポート、１０，１１，１４  経路、２０  仮想Ｌ２スイッチ内蔵型ＯＮＴ、２１，２２  ＯＮＴ内ＰＯＮインターフェース、２３  ＯＬＴ内仮想Ｌ２スイッチ、２４  ＯＮＴ内仮想Ｌ２スイッチ。
【図１】
2004179723.tif 000003
【図２】
2004179723.tif 000004
【図３】
2004179723.tif 000005
【図４】
2004179723.tif 000006
【図５】
2004179723.tif 000007
【図６】
2004179723.tif 000008
【図７】
2004179723.tif 000009
【図８】
2004179723.tif 000010
【図９】
2004179723.tif 000011